(57)【要約】【課題】目地部への目地部材６の挿入の容易化を図り、作業者による生産性や品質のバラツキを低減することができるタイルユニットの製造方法を提供する。【解決手段】可動式目地板１のタイル載置台２同士の間隙を所定の距離に調整した後に、タイル載置台２上にタイル３を配置する。次に、タイル載置台２に載置されたタイル３の表面にフィルム４を貼り合わせ、貼り合わせ後に可動式目地板１から取り出す。フィルム４に曲げ変形を与え、曲げ変形が生じることにより間隙が拡大した目地部に目地部材６を挿入する。【選択図】図２Ｂ
2011084908.tif 000002
【特許請求の範囲】
【請求項１】
フィルム上に所定の間隙を介して複数のタイルを配置する工程と、
複数のタイルが配置されたフィルムに曲げ変形を与え、前記タイル同士の間隙のうちフィルムに曲げ変形が生じることでその間隙が拡大した部分に目地部材を配置する工程とを備える
タイルユニットの製造方法。
【請求項２】
移動可能に構成された複数のタイル載置台同士の間隙を所定の距離に調整する工程と、
前記タイル載置台に、その表面を上方にしてタイルを載置する工程と、
前記載置台に載置された複数のタイルの表面にフィルムを貼り合わせる工程と、
複数のタイルが貼り合わせられたフィルムに曲げ変形を与え、前記タイル同士の間隙のうちフィルムに曲げ変形が生じることでその間隙が拡大した部分に目地部材を配置する工程とを備える
タイルユニットの製造方法。
【請求項３】
複数のタイルの表面にフィルムを貼り合わせた後に前記タイル載置台から前記タイルを移動し、その後、複数のタイルが貼り合わせられたフィルムに曲げ変形を与える
請求項２に記載のタイルユニットの製造方法。
【請求項４】
前記目地部材は吸水することで膨張すべく構成された
請求項１、請求項２または請求項３に記載のタイルユニットの製造方法。
【請求項５】
フィルム上に所定の間隙を介して複数のタイルを配置する工程と、
複数のタイルが配置されたフィルムに曲げ変形を与え、前記タイル同士の間隙のうちフィルムに曲げ変形が生じることでその間隙が拡大した部分に目地部材を配置してタイルユニットを構成する工程と、
該タイルユニットをコンクリート打設用ベッドに敷き詰め、前記タイルの裏面側からコンクリートを打設する工程とを備える
プレキャストコンクリート板の製造方法。
【請求項６】
移動可能に構成された複数のタイル載置台同士の間隙を所定の距離に調整する工程と、
前記タイル載置台に、その表面を上方にしてタイルを載置する工程と、
前記載置台に載置された複数のタイルの表面にフィルムを貼り合わせる工程と、
複数のタイルが貼り合わせられたフィルムに曲げ変形を与え、前記タイル同士の間隙のうちフィルムに曲げ変形が生じることでその間隙が拡大した部分に目地部材を配置してタイルユニットを構成する工程と、
該タイルユニットをコンクリート打設用ベッドに敷き詰め、前記タイルの裏面側からコンクリートを打設する工程とを備える
プレキャストコンクリート板の製造方法。
【発明の詳細な説明】
【技術分野】
【０００１】
本発明は、タイルユニットの製造方法及びプレキャストコンクリート板の製造方法に関する。詳しくは、複数のタイルが所定の間隙を介して配置されると共に、タイル同士の間隙内に目地部材が配置されたタイルユニットの製造方法、及び、こうしたタイルユニットを使用したプレキャストコンクリート板の製造方法に係るものである。
【背景技術】
【０００２】
従来、建築物の壁面や床面にタイルを使用する場合のタイルの施工方法として、作業者が手作業で１枚、１枚貼り付けを行う方法が採られていた。
【０００３】
しかし、作業者がタイルを手作業で１枚、１枚貼り付ける方法では、作業能率が悪いといった問題がある。また、例えば高層建築物にタイルを貼り付ける場合は作業環境が悪く、危険を伴ってしまう。
【０００４】
こうした問題に対応できる方法として、（１）複数枚のタイルを成形シート等で一体化したタイルユニットとし、施工現場で直接コンクリートを打設し、一括して壁面を製作する方法（現場型枠先付工法）や、（２）工場にてコンクリート打設用ベッドにタイルユニットを敷き並べ、タイル裏面にコンクリートを打設して表面タイル仕上げ（先付け）のプレキャストコンクリート板（ＰＣ板）を製造し、それを施工現場で建築物鉄骨等に固定する方法が知られている。
【０００５】
なお、特許文献１〜特許文献３には、こうした施工方法に使用するタイルユニットやその製造方法が開示されている。
【０００６】
ここで、従来のタイルユニットの製造方法では、先ず、図４（ａ）で示す様に、目地部１０１に相当する間隔を存して複数枚のタイルが配列可能に構成された木製等の型枠（目地板）１０２を製作する。
【０００７】
なお、建築物の壁面や床面にタイルを使用する場合には、壁面や床面の寸法の具合によってタイル同士の間隙の幅（目地幅）を変更することが一般に行われている。そのため、建築物の壁面や床面の寸法毎に、換言すると、求められる目地幅毎に目地板を製作する必要がある。
【０００８】
次に、タイルの裏面が目地板側となる様に、目地板にタイル１０３を配列し（図４（ｂ）参照。）、続いて、タイル同士の間隙（目地部）に目地部材（仮目地材）１０４を挿入する（図４（ｃ）参照。）。
【０００９】
なお、「目地部材」としては、発泡ポリエチレンシートを打ち抜いて格子状や短冊状としたものや、発泡ポリエチレンに水溶紙や高分子ポリマーを貼り付けた短冊状のもの等が用いられている。
【００１０】
次に、タイルの表面側に片面粘着フィルム１０５を貼り合わせることで所定の間隙を介して配置されたタイルと、タイル同士の間隙に配置された目地部材とを一体化し、その後、目地板から脱型することによって、タイルユニット１０６を得ることができる（図４（ｄ）参照。）。
【先行技術文献】
【特許文献】
【００１１】
【特許文献１】特公昭５３−２９９３１号公報
【特許文献２】特開昭５３−１３４８３１号公報
【特許文献３】特開平０５−１５６７８５号公報
【発明の概要】
【発明が解決しようとする課題】
【００１２】
しかしながら、上述の様に、建築物の壁面や床面の寸法の具合によって目地幅が異なり、更には、そもそも陶磁器等から作られているタイルの場合にはタイル自体の寸法にもバラツキが不可避的に生じてしまうことから、目地部に目地部材を配置（挿入）する作業は熟練を要することとなる。そのため、作業者によって生産性や品質にバラツキが生じてしまう。
【００１３】
本発明は以上の点に鑑みて創案されたものであって、目地部への目地部材の配置の容易化を図り、作業者による生産性や品質のバラツキを低減することができるタイルユニットの製造方法及びプレキャストコンクリート板の製造方法を提供することを目的とするものである。
【課題を解決するための手段】
【００１４】
上記の目的を達成するために、本発明のタイルユニットの製造方法では、フィルム上に所定の間隙を介して複数のタイルを配置する工程と、複数のタイルが配置されたフィルムに曲げ変形を与え、前記タイル同士の間隙のうちフィルムに曲げ変形が生じることでその間隙が拡大した部分に目地部材を配置する工程とを備える。
【００１５】
また、上記の目的を達成するために、本発明のプレキャストコンクリート板の製造方法では、フィルム上に所定の間隙を介して複数のタイルを配置する工程と、複数のタイルが配置されたフィルムに曲げ変形を与え、前記タイル同士の間隙のうちフィルムに曲げ変形が生じることでその間隙が拡大した部分に目地部材を配置してタイルユニットを構成する工程と、該タイルユニットをコンクリート打設用ベッドに敷き詰め、前記タイルの裏面側からコンクリートを打設する工程とを備える。
【００１６】
ここで、複数のタイルが配置されたフィルムに曲げ変形を与え、タイル同士の間隙のうちフィルムに曲げ変形が生じることでその間隙が拡大した部分に目地部材を配置することによって、タイル同士の間隙（目地部）への目地部材の配置の容易化が実現することとなる。
【００１７】
また、上記の目的を達成するために、本発明のタイルユニットの製造方法では、移動可能に構成された複数のタイル載置台同士の間隙を所定の距離に調整する工程と、前記タイル載置台に、その表面を上方にしてタイルを載置する工程と、前記載置台に載置された複数のタイルの表面にフィルムを貼り合わせる工程と、複数のタイルが貼り合わせられたフィルムに曲げ変形を与え、前記タイル同士の間隙のうちフィルムに曲げ変形が生じることでその間隙が拡大した部分に目地部材を配置する工程とを備える。
【００１８】
また、上記の目的を達成するために、本発明のプレキャストコンクリート板の製造方法では、移動可能に構成された複数のタイル載置台同士の間隙を所定の距離に調整する工程と、前記タイル載置台に、その表面を上方にしてタイルを載置する工程と、前記載置台に載置された複数のタイルの表面にフィルムを貼り合わせる工程と、複数のタイルが貼り合わせられたフィルムに曲げ変形を与え、前記タイル同士の間隙のうちフィルムに曲げ変形が生じることでその間隙が拡大した部分に目地部材を配置してタイルユニットを構成する工程と、該タイルユニットをコンクリート打設用ベッドに敷き詰め、前記タイルの裏面側からコンクリートを打設する工程とを備える。
【００１９】
ここで、移動可能に構成された複数のタイル載置台同士の間隙を所定の距離に調整し、タイル載置台に、その表面を上方にしてタイルを載置することによって、所望の位置へのタイルの配置の容易化が実現することとなる。
【００２０】
即ち、建築物の壁面や床面の寸法の具合によってタイル同士の間隙の幅（目地幅）が異なるために、所望の位置にタイルを配置すべく、従来は、その都度目地板の製作を行っており、そのために多大な作業と多額の費用を要していた。更には、目地板の製作には熟練を要し、作業者によって生産性や品質にバラツキが生じていた。
【００２１】
これに対して、本発明のタイルユニットの製造方法及びプレキャストコンクリート板の製造方法では、所望の位置へのタイルの配置の容易化が実現し、その都度の目地板の製作を行う必要が無く、更には、作業者による生産性や品質のバラツキを低減することができることとなる。
【００２２】
また、複数のタイルが配置されたフィルムに曲げ変形を与え、タイル同士の間隙のうちフィルムに曲げ変形が生じることでその間隙が拡大した部分に目地部材を配置することによって、タイル同士の間隙（目地部）への目地部材の配置の容易化が実現することとなる。
【発明の効果】
【００２３】
本発明のタイルユニットの製造方法及びプレキャストコンクリート板の製造方法では、目地部への目地部材の配置の容易化が実現し、作業者による生産性や品質のバラツキを低減することが可能となる。
【図面の簡単な説明】
【００２４】
【図１】本発明のタイルユニットの製造方法の一例で使用する可動式目地板を説明するための模式的な斜視図である。
【図２Ａ】本発明を適用したタイルユニットの製造方法の一例を説明するための図（１）である。
【図２Ｂ】本発明を適用したタイルユニットの製造方法の一例を説明するための図（２）である。
【図２Ｃ】本発明を適用したタイルユニットの製造方法の変形例を説明するための図である。
【図３】本発明を適用したプレキャストコンクリート板の製造方法の一例を説明するための図である。
【図４】従来のタイルユニットの製造方法を説明するための図である。
【発明を実施するための形態】
【００２５】
以下、本発明を実施するための形態（以下、「実施の形態」と称する。）について図面を参照しながら説明し、本発明の理解に供する。
図１は本発明のタイルユニットの製造方法の一例で使用する可動式目地板を説明するための模式的な斜視図であり、ここで示す可動式目地板１には、複数のタイル載置台２がマトリクス状に設けられている。なお、図１及び後述の図２（ａ）では図示の便宜上、縦１列、横１列のタイル載置台２のみしか図示していない。
【００２６】
各タイル載置台２は、縦方向（図１中符号Ａで示す方向）及び横方向（図１中符号Ｂで示す方向）に移動可能に構成されており、タイル載置台２同士の間隔は自由に調整できる様に構成されている。
即ち、タイル載置台２を移動させることで、所望の目地幅に調整することができるために、図１に示す可動式目地板１を利用することによって、目地幅毎に目地板の製作を行う必要が無くなるのである。
【００２７】
さて、本発明を適用したタイルユニットの製造方法の一例では、先ず、図２Ａ（ａ）で示す様に、上述した可動式目地板１のタイル載置台２同士の間隙を所定の距離に調整を行う。即ち、求められている目地幅となる様に、タイル載置台２同士の間隙の制御を行うのである。
【００２８】
次に、各タイル載置台２に、その表面を上方に向けてタイル３を載置する（図２Ａ（ｂ）参照。）。
【００２９】
ここで、タイル載置台２同士の間隙が所定の距離に調整されているために、タイル載置台２にタイル３を載置するのみで、所望の目地幅となる様に、タイル３を配列することができるのである。
【００３０】
ところで、本実施の形態では、可動式目地板１を用いて、所望の目地幅となる様にタイル３を配列する場合を例に挙げて説明を行っているが、必ずしも可動式目地板１を用いてタイル３を配列する必要は無く、従来のタイルユニットの製造方法と同様に、求められる目地幅に応じた目地板を製作し、目地板内にタイル３を配置することによって、所望の目地幅となる様にタイル３を配列しても良い。
【００３１】
但し、目地幅に応じた目地板を製作していたのでは、多大な作業と多額の費用を要してしまい、また、目地幅に応じた目地板の製作には熟練を要し、作業者によって生産性や品質にバラツキが生じてしまう。そのため、本実施の形態の様に、可動式目地板１を用いることで、作業の効率化を図ると共にコスト低減を実現し、更には、作業者による生産性や品質のバラツキを低減した方が好ましい。
【００３２】
続いて、可動式目地板１に配列されたタイル３の表面にフィルム（片面に粘着層を有するフィルム）４を貼り合わせる（図２Ａ（ｃ）参照。）。
【００３３】
なお、本実施の形態では、タイル３を配列し、その後、目地部に目地部材を挿入することなくフィルム４を貼り合わせているために、フィルム４を貼り合わせるまでの工程で、熟練を要することがない。
即ち、従来のタイルユニットの製造方法の場合には、タイルを配列し、目地部に目地部材を挿入した後にフィルムを貼り合わせており、目地部に目地部材を挿入する作業に熟練を要することとなり、結果として、フィルム４を貼り合わせるまでの工程で熟練を要していた。これに対して、本実施の形態では、タイル３を配列した直後にフィルム４を貼り合わせているために、ここまでの工程で熟練を要することがないのである。
【００３４】
また、タイル３の位置をフィルム４で固定する前に目地部に目地部材を挿入した場合には、目地幅と略等しい目地部材を挿入することを考慮すると、目地部材の挿入によってタイル３の位置にズレが生じてしまう恐れがある。これに対して、本実施の形態では、タイル３の位置を固定し、その後、タイル３がフィルム４に固定された状態で目地部に目地部材を挿入するために、タイル３の位置にズレが生じることを抑制することができる。
【００３５】
次に、タイル３に貼り合わせたフィルム４を可動式目地板１から抜き出し、反転させる。
【００３６】
ここで、目地部に目地部材を挿入することなく、タイル３を配列した後にフィルム４を貼り合わせるのみで、可動式目地板１からタイル３を抜き出しているために、タイル載置台２にタイル３が載置されている期間の短縮化を図ることができ、製造歩留まりの向上をも期待することができる。
【００３７】
続いて、図２Ｂ（ｄ）で示す様に、ロール状部材５によってフィルム４に曲げ変形を与え、曲げ変形を与えることでその目地幅が拡大した目地部に目地部材６を配置（挿入）する。
【００３８】
ここで、タイル３の表面はフィルム４に貼り合わせられているために、フィルム４に曲げ変形を与えたとしても、フィルム４が伸びを生じることを考慮しないとすると、タイル３の表面側（フィルム４に貼り合わせられている側）の間隙が拡大することはない。但し、目地部材６の配置（挿入）の容易化という観点からは、タイル３の裏面側（フィルム４に貼り合わせられていない側）の間隙が拡大すれば充分である。そのため、ここでの「目地幅の拡大」とは、タイル３の裏面側（フィルム４に貼り合わせられていない側）の間隙が拡大することを意味している。
【００３９】
なお、本実施の形態では、フィルム４に曲げ変形を与える方法の一例として、ロール状部材５による場合を例に挙げて説明を行っているが、フィルム４に曲げ変形を与えることができるのであれば、必ずしもロール状部材５による必要はなく、いかなる方法であっても良いのは勿論である。
【００４０】
フィルム４に曲げ変形を与える他の方法の一例としては、図２Ｃで示す様に、タイル３に貼り合わせたフィルム４をピン状部材１１によって突き上げることによって曲げ変形を与え、曲げ変形を与えることでその目地幅が拡大した目地部に目地部材６を配置（挿入）する方法が考えられる。
【００４１】
本実施の形態では、フィルム４に曲げ変形を与え、そのことで目地幅が拡大した目地部に目地部材６を挿入しているために、目地部への目地部材６の挿入が極めて容易に実現でき、作業者の熟練を要することなく、作業者による生産性や品質のバラツキを低減することが可能となる。
【００４２】
なお、目地部材６が吸水することによって膨張する様に構成された目地部材（膨張目地部材）を利用した場合には、コンクリート打設前にタイル３の裏面側から水を噴霧器等で散水することでタイル３と目地部材６との隙間を低減することができ、セメントペースト（ノロ）がタイル表面やジョイント部へ漏れ出すことを抑制することができる。
【００４３】
以上の工程を経ることによって、図２Ｂ（ｅ）で示す様な、タイルユニット７を得ることができる。
【００４４】
次に、タイルユニット７を使用したプレキャストコンクリート板の製造方法について説明を行う。即ち、本発明を適用したプレキャストコンクリート板の製造方法の一例について説明を行う。
なお、以下では、縦１０列、横５列の配列で計５０個のタイルユニット７を並べた大きさのプレキャストコンクリート板を製造する場合を例に挙げて説明を行う。
【００４５】
プレキャストコンクリート板を製造する場合には、先ず、５０個のタイルユニット７が、それぞれタイル３の裏面を上側にして、縦１０列、横５列といった配列でコンクリート打設用ベッド８内に敷き詰める（図３（ａ）及び図３（ｂ）参照。）。なお、図３（ａ）はコンクリート打設用ベッド８にタイルユニット７を敷き詰めた状態の平面図であり、図３（ｂ）は図３（ａ）の状態の部分断面図である。
【００４６】
次に、図３（ｃ）で示す様に、タイル３の裏面側にコンクリート９を流し込み、コンクリート９が硬化した後に、コンクリート打設用ベッド８から脱型する。
【００４７】
その後、フィルム４及び目地部材６を取り除くことによって、図３（ｄ）で示す様な、プレキャストコンクリート板１０を得ることができる。
なお、こうして得られるプレキャストコンクリート板１０が施工現場に運ばれ、例えば建築物の外壁として鉄骨等に固定されることとなる。
【００４８】
本発明を適用したタイルユニットの製造方法の一例及び本発明を適用したプレキャストコンクリート板の製造方法の一例では、タイル載置台２を移動させることによって、所望の目地幅に調整することができ、目地幅の制御の容易化が実現し、生産性及び品質の向上が可能となる。
【００４９】
また、本発明を適用したタイルユニットの製造方法の一例及び本発明を適用したプレキャストコンクリート板の製造方法の一例では、目地部への目地部材６の配置（挿入）の容易化が実現し、生産性及び品質の向上が可能となる。
【符号の説明】
【００５０】
１可動式目地板
２タイル載置台
３タイル
４フィルム
５ロール状部材
６目地部材
７タイルユニット
８コンクリート打設用ベッド
９コンクリート
１０プレキャストコンクリート板
１１ピン状部材
【図１】
2011084908.tif 000003
【図２Ａ】
2011084908.tif 000004
【図２Ｂ】
2011084908.tif 000005
【図２Ｃ】
2011084908.tif 000006
【図３】
2011084908.tif 000007
【図４】
2011084908.tif 000008